(57)【要約】【課題】  任意のイメージを任意のレイアウトでプレート表面に印刷する。【解決手段】  所定の樹種の角材を所定の厚さで削り取る削取工程と、削取工程によって得られた削取角材を平らに伸ばす平状化工程と、平状化工程によって平らに伸ばされた削取角材の一方面に任意のイメージを印刷する印刷工程と、印刷工程によって得られた印刷済みの削取角材をプレートに貼り付けるプレート貼付工程と、プレート貼付工程によって得られたプレートを所定の圧力でプレスするプレス工程と、プレス工程によってプレスされた後、プレートの印刷済みの削取角材が貼り付けられている面を加工処理する加工処理工程とを有する。【選択図】  図１
2006305991.tif 000002
【特許請求の範囲】
【請求項１】
所定の樹種の角材を所定の厚さで削り取る削取工程と、
上記削取工程によって得られた削取角材を平らに伸ばす平状化工程と、
上記平状化工程によって平らに伸ばされた削取角材の一方面に任意のイメージを印刷する印刷工程と、
上記印刷工程によって得られた印刷済みの削取角材をプレートに貼り付けるプレート貼付工程と、
上記プレート貼付工程によって得られた上記プレートを所定の圧力でプレスするプレス工程と、
上記プレス工程によってプレスされた後、上記プレートの印刷済みの削取角材が貼り付けられている面を加工処理する加工処理工程とを有することを特徴とする装飾板製造方法。
【請求項２】
上記削取工程により削り取られる削取角材の厚さは、上記印刷工程で使用する印刷機械が対応できる厚さであることを特徴とする請求項１記載の装飾板製造方法。
【請求項３】
上記平状化工程は、熱的処理により上記削取角材を平らにすることを特徴とする請求項１記載の装飾板製造方法。
【請求項４】
上記印刷工程は、
任意のイメージを取り込むイメージ取込工程と、
上記イメージ取込工程で取り込んだイメージを編集する編集工程と、
上記平状化工程により平状化された削取角材の一方面に、上記編集工程により編集されたイメージを印刷するイメージ印刷工程とを有することを特徴とする請求項１記載の装飾板製造方法。
【請求項５】
上記削取工程により削り取られた上記削取木材の一方面を滑らかにする平滑化工程を有することを特徴とする請求項１記載の装飾板製造方法。
【請求項６】
上記プレート貼付工程は、上記削取工程により削取角材が削り取られた元の角材表面に、上記上記印刷工程によって所定のイメージが印刷された上記削取角材を貼り付けることを特徴とする請求項１記載の装飾板製造方法。
【請求項７】
上記加工処理工程は、上記プレス工程によってプレスされた後、上記プレートの印刷済みの削取角材が貼り付けられている面をウレタン樹脂で加工することを特徴とする請求項１記載の装飾板製造方法。
【請求項８】
請求項１乃至７のいずれか一記載の方法により製造された装飾板。
【発明の詳細な説明】
【技術分野】
【０００１】
本発明は、装飾板及びその製造方法に関する。
【背景技術】
【０００２】
木材は、軟らかで、その質感には暖かみがあり、石材などの他の硬く、冷たい印象のあるものと比べても優れており、広く受け入れられている。このような木材を利用した装飾板は、従来から様々な方法により製造され、多用途に用いられている。例えば、住居の門あるいは戸口に設けられる表札に用いられている。また、昨今の表札は、単に墨で平面的に書かれたものでなく、より高級感を持たせるために彫刻や浮き彫り等の様々な加工が施されており、そのための種々の方法が提案されている（例えば、特許文献１参照）。
【０００３】
【特許文献１】特開９−２７１７１５号公報
【発明の開示】
【発明が解決しようとする課題】
【０００４】
ところで、木材を利用した装飾板の表面にイメージを印刷する場合、印刷機械の利用が考えられる。これらの印刷機械には印刷方法等により、様々な種類のものがある。例えば、印刷品質、印刷時間及びランニングコストの面から考察すると、レーザプリンタの採用が考えられる。レーザプリンタは、レーザ光線で照射し、ドラムと呼ばれる感光体にトナーを付着させ、熱と圧力により用紙に印刷するプリンタであり、コピー機と同様の方式を採用している。また、レーザプリンタは、ページ単位でデータが送られるため、高速かつ高画質な印刷が可能である。また、現在、技術開発の成果により、高性能なレーザプリンタが安価に市場に提供されている。
【０００５】
しかしながら、木材を利用した装飾板においては、加工する際にある程度の厚みが必要となる。そのため、装飾板の表面にイメージを印刷する場合、市販されている通常のプリンタでは対応できないため、これを利用することができない。
【０００６】
また、市販されているプリンタを改良して、装飾板に直接イメージを印刷する場合、プリンタの設計及び製造に多大な金額がかかり、現実的でない。
【０００７】
そこで、本願発明では、市販されているプリンタを利用して、任意のイメージを任意のレイアウトで印刷し、装飾加工を施して得られる装飾板及び当該装飾板の製造方法を提供することを目的とする。
【課題を解決するための手段】
【０００８】
本発明に係る装飾板製造方法は、上述の課題を解決するために、所定の樹種の角材を所定の厚さで削り取る削取工程と、上記削取工程によって得られた削取角材を平らに伸ばす平状化工程と、上記平状化工程によって平らに伸ばされた削取角材の一方面に任意のイメージを印刷する印刷工程と、上記印刷工程によって得られた印刷済みの削取角材をプレートに貼り付けるプレート貼付工程と、上記プレート貼付工程によって得られた上記プレートを所定の圧力でプレスするプレス工程と、上記プレス工程によってプレスされた後、上記プレートの印刷済みの削取角材が貼り付けられている面を加工処理する加工処理工程とを有する。
【０００９】
また、本発明に係る装飾板は、上述の課題を解決するために、所定の樹種の角材を所定の厚さで削り取る削取工程と、上記削取工程によって得られた削取角材を平らに伸ばす平状化工程と、上記平状化工程によって平らに伸ばされた削取角材の一方面に任意のイメージを印刷する印刷工程と、上記印刷工程によって得られた印刷済みの削取角材をプレートに貼り付けるプレート貼付工程と、上記プレート貼付工程によって得られた上記プレートを所定の圧力でプレスするプレス工程と、上記プレス工程によってプレスされた後、上記プレートの印刷済みの削取角材が貼り付けられている面を加工処理する加工処理工程とにより製造される。
【発明の効果】
【００１０】
本発明に係る装飾板及び当該装飾板の製造方法は、簡易な手法により装飾板を製造することができ、あたかも、木材の表面に直接的にイメージをプリントしたような視覚的効果を与えることができる。
【発明を実施するための最良の形態】
【００１１】
以下、本発明の実施の形態としての装飾板製造方法について説明する。
【００１２】
装飾板製造方法１は、図１に示すように、所定の樹種の角材を所定の厚さで削り取る削取工程Ｓ１と、削取工程Ｓ１によって得られた削取用紙を平らに伸ばす平状化工程Ｓ２と、平状化工程Ｓ２によって平らに伸ばされた削取用紙の一方面に任意のイメージを印刷する印刷工程Ｓ３と、印刷工程Ｓ３によって得られた印刷済みの削取用紙をプレートに貼り付けるプレート貼付工程Ｓ４と、プレート貼付工程Ｓ４によって得られたプレートを所定の圧力でプレスするプレス工程Ｓ５と、プレス工程Ｓ５によってプレスされた後、プレートの印刷済みの削取用紙が貼り付けられている面を加工処理する加工処理工程Ｓ６により、装飾板２を製造する。このようにして製造される装飾板２は、例えば、出産や、結婚、寄せ書き等の各種贈答用に用いることができる。
【００１３】
＜削取工程Ｓ１＞
ここで、削取工程Ｓ１について説明する。削取工程Ｓ１では、例えば、自動送りかんな盤又は手押しかんな盤を用いて、図２に示すように、所定の樹種の角材１０から、厚さが０．１ｍｍ程度となるように表面を削り取る。なお、自動送りかんな盤又は手押しかんな盤は、角材の表面を平滑にし、厚さ決めをする平削り加工に用いられる機械である。また、本実施例では、自動送りかんな盤又は手押しかんな盤により角材１０から削り取った表面を削取用紙１１という。
【００１４】
また、削取工程Ｓ１により削り取られる削取用紙１１の厚さは、後述する印刷工程Ｓ３で使用する印刷機械が対応可能な厚さであれば良く、０．１ｍｍに限られない。
【００１５】
また、本願発明では、削取工程Ｓ１によって削り取られた削取用紙１１の少なくとも一方面が追目となる樹種（例えば、檜等）を選択する。なお、追目とは、順目（逆目でない）のことであり、削取工程Ｓ１により角材から削り取った際の削取用紙１１の表面がざらついていない滑らかな状態をいう。
【００１６】
＜平状化工程Ｓ２＞
つぎに、平状化工程Ｓ２について説明する。削取工程Ｓ１により得られる削取用紙１１は、繊維方向と収縮性により丸まってしまう（図３（Ａ））。そこで、平状化工程Ｓ２によって丸みを伸ばし、平状化する（図３（Ｂ））。
【００１７】
平状化工程Ｓ２では、具体的には、削取用紙１１の上に布を当て、当該布上を所定の温度に熱せられたアイロンによって引き延ばす。このようにすると、削取用紙１１の表面に皺が寄らず、良好に平状化することができる。
【００１８】
＜印刷工程Ｓ３＞
つぎに、印刷工程Ｓ３について説明する。印刷工程Ｓ３では、図４に示すように、任意のイメージを取り込むイメージ取込工程Ｓ３−１と、イメージ取込工程Ｓ３−１で取り込んだイメージを編集する編集工程Ｓ３−２と、平状化工程Ｓ２により平状化された削取用紙１１の一方面に、編集工程Ｓ３−２により編集されたイメージを印刷するイメージ印刷工程Ｓ３−３により削取用紙１１の一方面に任意のイメージを任意のレイアウトで印刷する（図５）。
【００１９】
本発明では、イメージ取込工程Ｓ３−１によりイメージを取り込み、取り込んだイメージを編集工程Ｓ３−２により編集し、編集されたイメージをイメージ印刷工程へ送信する機器として、パーソナルコンピュータ（ＰＣ）を利用することを想定しているが、他の機器で各工程を実行しても良い。
【００２０】
また、イメージ印刷工程Ｓ３−３により削取用紙１１にイメージを印刷する機器として、市販されている一般的なカラーレーザプリンタを利用することを想定しているが、インクジェットプリンタ等を利用しても良い。なお、インクジェットプリンタを利用する場合には、インクと削取用紙１１の相性によって、インクがにじんでしまうおそれがあるので、予め削取用紙１１の表面を研磨等して加工する必要がある。
【００２１】
イメージ取込工程Ｓ３−１は、任意のイメージをスキャナ、デジタルカメラ等から所定のデータフォーマットで取り込む。また、イメージ取込工程Ｓ３−１では、インターネット等のネットワークを介して送信されてきたイメージを取り込んでも良い。また、イメージ取込工程Ｓ３−１は、ＣＤ−ＲＯＭ等に記録されている素材をイメージとして取り込んでも良い。
【００２２】
編集工程Ｓ３−２は、イメージ取込工程Ｓ３−１で取り込んだイメージを所定のイメージ編集用のアプリケーションを用いて編集を行う。イメージの編集作業においては、印刷対象である削取用紙１１の大きさ、形状等を勘案して、イメージを好適にレイアウトし、文字等を付加して、見栄えが良くなるように適宜編集を行う。
【００２３】
イメージ印刷工程Ｓ３−３は、編集工程Ｓ３−２によって編集されたイメージを、削取用紙１１に印刷を行う。
【００２４】
＜プレート貼付工程Ｓ４＞
つぎに、プレート貼付工程Ｓ４について説明する。プレート貼付工程Ｓ４は、印刷工程Ｓ３により任意のイメージが任意のレイアウトで印刷されている削取用紙１１と、プレート１２を接着剤により貼り付ける（図６）。また、プレート貼付工程Ｓ４では、削取用紙１１と貼り付けるプレート１２として、当該削取用紙１１を削り取った元の角材１０を選択しても良い。このように、元の角材１０と、イメージが印刷された削取用紙１１を張り合わせることにより、木目を適合させることができ、あたかも、角材そのものにイメージを印刷したような効果を演出することができる。
【００２５】
また、プレート貼付工程Ｓ４では、他の部材をプレートとして選択しても良く、例えば、丸み形状の部材の表面に沿って、削取用紙１１を張り合わせても良い。このような構成であっても、あたかも、角材そのものにイメージを印刷したような効果を演出することができる。
【００２６】
＜プレス工程Ｓ５＞
つぎに、プレス工程Ｓ５について説明する。プレス工程Ｓ５では、プレート貼付工程Ｓ４により削取用紙１１が貼り付けられたプレート１２を所定のプレス機１３にセットし、所定の圧力（例えば、１，０００ｋｇ重程度）をかける（図７）。こうすることにより、プレート１２と、削取用紙１１の密着力が向上する。
【００２７】
＜加工処理工程Ｓ６＞
つぎに、加工処理工程Ｓ６について説明する。加工処理工程Ｓ６では、プレス工程Ｓ５によってプレスされたプレート１２の削取用紙１１が貼り付けられた面に、ウレタン樹脂等による表面加工処理を行う（図８）。こうすることにより、削取用紙１１表面を保護することができ、外観上美しく、かつ、長期間に渡る鑑賞に耐え得ることが可能となる。
【００２８】
＜具体的な実施例＞
ここで、本発明に係る装飾板の製造方法を活用した具体例について説明する。
【００２９】
例えば、インターネットを活用し、ユーザから製造して欲しいプレート１２の依頼を受け付ける。この依頼を受け付ける際、ユーザは、所定のフォームに所定の事項を選択及び記入することにより依頼を行う。当該所定のフォームでは、角材（プレート）の種類、装飾板の大きさ、イメージの選択及び選択したイメージのレイアウト等の各種項目から構成されるものとする。また、ユーザが希望する場合には、ユーザが所有するイメージを送信してもらう態様であっても良い。
【００３０】
装飾板の製造者は、当該フォームにしたがって装飾板２を製造する。削取工程Ｓ１において、フォームにより要求されたプレート（角材）を選択し、表面を削り取り、所定の寸法の削取用紙１１を製作する。つぎに、平状化工程Ｓ２において、削取用紙１１を平らに引き延ばす。つぎに、印刷工程Ｓ３において、例えば、ユーザから送信してもらったイメージを取り込み、所定の編集を行って、削取用紙１１にイメージを印刷する。つぎに、プレート貼付工程Ｓ４において、削取用紙１１をユーザの所望する形態（形状）のプレート１２に貼り付ける。つぎに、プレス工程Ｓ５において、削取用紙１１が貼り付けられたプレート１２をプレスする。つぎに、加工処理工程Ｓ６において、プレート１２の表面を加工する。
【００３１】
また、加工処理工程Ｓ６により、プレート１２の表面を加工した際に、プレート１２のエッジをカットする処理を施しても良い。このような処理を施すことにより、ユーザが装飾板のエッジでけがをするのを防ぐことができる。
【００３２】
このようにして製造された装飾板２は、あたかも、木材の表面に直接的にイメージをプリントしたような視覚的効果を与えることができ、木材の優れた高品質な質感を漂わせ、紙を利用した装飾板や、金属等を利用した装飾板と比べて、受ける印象は一層高く、十分に高級感を与えることが可能となる。また、本発明に係る装飾板２は、イメージのプリントにカラーレーザプリンタを採用することができるため、イメージの色調及びアウトラインが美しく、高品質な印象を与えることができる。
【００３３】
なお、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００３４】
【図１】本願発明に係る装飾板の製造方法を示すフローチャートである。
【図２】削取工程において角材から削取用紙を削り取る様子を示す図である。
【図３】平状化工程において削取用紙を引き延ばす様子を示す図である。
【図４】印刷工程の詳細な工程を示すフローチャートである。
【図５】印刷工程において削取用紙に任意のイメージを任意のレイアウトで印刷する様子を示す図である。
【図６】プレート貼付工程において削取用紙をプレートに貼り付ける様子を示す図である。
【図７】プレス工程においてプレートにプレスを行う様子を示す図である。
【図８】加工処理工程において表面加工を行ったプレートの外観を示す図である。
【符号の説明】
【００３５】
１  装飾板製造方法、２  装飾板、１０  角材、１１  削取用紙、１２  プレート、１３  プレス機
【図１】
2006305991.tif 000003
【図２】
2006305991.tif 000004
【図３】
2006305991.tif 000005
【図４】
2006305991.tif 000006
【図５】
2006305991.tif 000007
【図６】
2006305991.tif 000008
【図７】
2006305991.tif 000009
【図８】
2006305991.tif 000010